(57)【要約】【課題】ＰＢＸとＶＤＳＬ装置の設定作業を簡略化して容易に行うことができ、また共通の設定項目についてはＰＢＸとＶＤＳＬ装置とで同時に行うことができる構内用通信装置を提供することを目的とする。【解決手段】構内で音声通信等の為に用いるＰＢＸ１０３と、高速インターネット通信の為に用いるＶＤＳＬ装置２０３とから構成される構内用通信装置において、ＰＢＸ１０３は、設定データ入力部１２６と設定データ出力部１２７から成るＰＢＸ設定データ用インタフェース部１２０を有し、ＶＤＳＬ装置２０３は、設定データ入力部２２７と設定データ出力部２２８から成るＶＤＳＬ設定データ用インタフェース部２２０を有し、ＰＢＸ設定データ用インタフェース部１２０とＶＤＳＬ設定データ用インタフェース部２２０とは接続ケーブル３０１を介して相互にデータの送受信が可能である。【選択図】  図１
2004187064.tif 000002
【特許請求の範囲】
【請求項１】
構内で音声通信等の為に用いるＰＢＸと、高速インターネット通信の為に用いるＶＤＳＬ装置とから構成される構内用通信装置において、
前記ＰＢＸは、設定データ入力部と設定データ出力部から成るＰＢＸ設定データ用インタフェース部を有し、
前記ＶＤＳＬ装置は、設定データ入力部と設定データ出力部から成るＶＤＳＬ設定データ用インタフェース部を有し、
前記ＰＢＸ設定データ用インタフェース部と前記ＶＤＳＬ設定データ用インタフェース部とは接続ケーブルを介して相互にデータの送受信が可能であることを特徴とする構内用通信装置。
【請求項２】
前記ＰＢＸもしくは前記ＶＤＳＬ装置に接続され前記ＰＢＸもしくは前記ＶＤＳＬ装置の設定を行う設定用機器を備えたことを特徴とする請求項１に記載の構内用通信装置。
【請求項３】
前記ＰＢＸもしくは前記ＶＤＳＬ装置に接続され前記ＰＢＸもしくは前記ＶＤＳＬ装置の設定を行う設定用機器を備え、前記設定用機器は、前記ＰＢＸおよび前記ＶＤＳＬ装置のいずれの設定も１種類の設定用アプリケーションソフトウェアで行うことを特徴とする請求項１に記載の構内用通信装置。
【請求項４】
前記設定用アプリケーションソフトウェアは、設定項目が前記ＰＢＸと前記ＶＤＳＬ装置で共通な設定項目か否かを判定し、設定項目が共通な設定項目であると判定した場合には設定データを前記ＰＢＸおよび前記ＶＤＳＬ装置に送信することを特徴とする請求項３に記載の構内用通信装置。
【発明の詳細な説明】
【０００１】
【発明の属する技術分野】
本発明は、構内で音声通信のために用いるＰＢＸ（Ｐｒｉｖａｔｅ  Ｂｒａｎｃｈ  Ｅｘｃｈａｎｇｅ）と、高速インターネット通信のために用いるＶＤＳＬ（Ｖｅｒｙ  ｈｉｇｈ  ｂｉｔ  ｒａｔｅ  Ｄｉｇｉｔａｌ  Ｓｕｂｓｃｒｉｂｅｒ  Ｌｉｎｅ）装置とから構成される構内用通信装置に関するものである。
【０００２】
【従来の技術】
企業などで内線間の音声通話や、加入者電話網やＩＳＤＮ回線などの公衆回線網への接続を行うための機器としてＰＢＸが使用されている。また近年、インターネットにも接続でき、音声とデータの両方を扱うことのできるＩＰ−ＰＢＸ（Ｉｎｔｅｒｎｅｔ  Ｐｒｏｔｏｃｏｌ  ＰＢＸ）と呼ばれる装置もでてきている。
【０００３】
図９は、従来のＰＢＸのみを利用した構内用通信装置を示すブロック図である。
【０００４】
図９において、１０１は公衆回線網、１０２は外線ケーブル、１０３はＰＢＸ、１０４は内線ケーブル、１０５は電話機、１１０はＰＢＸ１０３に内線番号の割当などの各種設定を行う設定用機器としての設定用パソコン、１１１は接続ケーブルである。このように構成された構内用通信装置においては、ユーザは、電話機１０５を使って、外線電話や内線電話を利用することができる。
【０００５】
また、近年、高速のインターネット通信のためにＶＤＳＬの技術を利用した装置（ＶＤＳＬ装置）と前述のＰＢＸとを接続して組合せた構内用通信装置がホテルやマンションなどに設置されはじめている（例えば、特許文献１参照。）。
【０００６】
図１０は、ＰＢＸとＶＤＳＬ装置とを接続して組合わせた従来の構内用通信装置を示すブロック図である。
【０００７】
図１０において、１０１は公衆回線網、１０２は外線ケーブル、１０３はＰＢＸ、１０４は内線ケーブル、１０５は電話機、１１０はＰＢＸに内線番号の割当などの各種設定を行う設定用機器としての設定用パソコン、１１１は接続ケーブル、２０１はインターネット、２０２はＷＡＮケーブル、２０３はＶＤＳＬ装置、２０４はＶＤＳＬモデム、２０５はＰＣ、２１０はＶＤＳＬ装置２０３に通信レートなどの各種設定を行う設定用機器としての設定用パソコンである。
【０００８】
このように構成された構内用通信装置において、ＶＤＳＬ装置２０３とＶＤＳＬモデム２０４は、通常の電話線にデータを重畳させることができる機器であり、新たなケーブルを敷設することなく、既存の１本の内線ケーブル１０４をそのまま利用して、音声とデータの２つのネットワークを構築することができる。つまり、１本の電話線だけで音声通話と高速なデータ通信を行うことが可能になる。
【０００９】
ＶＤＳＬ装置２０３とＰＢＸ１０３の各種設定について、図１１、図１２を用いて説明する。図１１はＶＤＳＬ装置の各種設定を行うための画面を示す画面図であり、図１２はＰＢＸの各種設定を行うための画面を示す画面図である。図１０において、ＶＤＳＬ装置２０３の各内線の通信レートやＶＬＡＮ（Ｖｉｒｔｕａｌ  ＬＡＮ）等の各種設定は、設定用機器２１０をＶＤＳＬ装置２０３につないで、図１１のような入力画面から管理者や工事担当者などが設定を行う。また、ＰＢＸ１０３の内線電話番号の割り当てなどの各種設定は、ＰＢＸ１０３に接続された設定用機器１１０を使って、図１２のような入力画面から管理者や工事担当者などが設定を行う。
【００１０】
【特許文献１】
特表２００２−５０６５９１号公報
【００１１】
【発明が解決しようとする課題】
しかしながら、ＰＢＸとＶＤＳＬ装置とを接続して組合わせた従来の構内用通信装置においては、ＰＢＸおよびＶＤＳＬ装置の設定を行う場合、ＰＢＸ用の設定用機器とＶＤＳＬ用の設定用機器とがそれぞれ必要であり、２台の設定用機器を用いなければならないという問題点を有していた。また、１台の設定用機器をそれぞれにつなぎかえて設定することも可能であるが、この場合には設定用機器をつなぎかえるという作業を必要とし、作業が煩雑になるという問題点を有していた。また、設定用機器上で用いる設定用アプリケーションソフトもＰＢＸとＶＤＳＬ装置とで異なる為、その操作方法およびＧＵＩ（Ｇｒａｐｈｉｃａｌ  Ｕｓｅｒ  Ｉｎｔｅｒｆａｃｅ）も異なり、ユーザは２種類のアプリケーションの操作方法を覚える必要があり、さらに作業が煩雑になるという問題点を有していた。また、ＰＢＸとＶＤＳＬ装置の設定項目には、「内線番号」のような同じ設定項目もあるが、それぞれ別々に設定を行わなければならないという問題点を有していた。
【００１２】
この構内用通信装置では、ＰＢＸとＶＤＳＬ装置の設定作業が煩雑にならず、その設定作業を簡略化して容易に行うことができ、また共通の設定項目についてはＰＢＸとＶＤＳＬ装置とで同時に行うことができることが要求されている。
【００１３】
本発明は、この要求を満たすため、ＰＢＸとＶＤＳＬ装置の設定作業を簡略化して容易に行うことができ、また共通の設定項目についてはＰＢＸとＶＤＳＬ装置とで同時に行うことができる構内用通信装置を提供することを目的とする。
【００１４】
【課題を解決するための手段】
この課題を解決するために本発明の構内用通信装置は、構内で音声通信等の為に用いるＰＢＸと、高速インターネット通信の為に用いるＶＤＳＬ装置とから構成される構内用通信装置において、ＰＢＸは、設定データ入力部と設定データ出力部から成るＰＢＸ設定データ用インタフェース部を有し、ＶＤＳＬ装置は、設定データ入力部と設定データ出力部から成るＶＤＳＬ設定データ用インタフェース部を有し、ＰＢＸ設定データ用インタフェース部とＶＤＳＬ設定データ用インタフェース部とは接続ケーブルを介して相互にデータの送受信が可能である構成を備えている。
【００１５】
これにより、ＰＢＸとＶＤＳＬ装置の設定作業を簡略化して容易に行うことができ、また共通の設定項目についてはＰＢＸとＶＤＳＬ装置とで同時に行うことができる構内用通信装置が得られる。
【００１６】
【発明の実施の形態】
本発明の請求項１に記載の構内用通信装置は、構内で音声通信等の為に用いるＰＢＸと、高速インターネット通信の為に用いるＶＤＳＬ装置とから構成される構内用通信装置において、ＰＢＸは、設定データ入力部と設定データ出力部から成るＰＢＸ設定データ用インタフェース部を有し、ＶＤＳＬ装置は、設定データ入力部と設定データ出力部から成るＶＤＳＬ設定データ用インタフェース部を有し、ＰＢＸ設定データ用インタフェース部とＶＤＳＬ設定データ用インタフェース部とは接続ケーブルを介して相互にデータの送受信が可能であることとしたものである。
【００１７】
この構成により、ＰＢＸもしくはＶＤＳＬ装置に接続された設定用機器での設定データをＶＤＳＬ装置もしくはＰＢＸに送信することができるので、設定作業をＰＢＸ側もしくはＶＤＳＬ装置側のみで行うようにすることができ、設定作業を簡略化して設定作業の容易化を図ることができ、また、設定用機器において共通の設定項目か否かを判定できるようにすれば、共通の設定項目と判定したときに設定データをＰＢＸからＶＤＳＬ装置へ又はＶＤＳＬ装置からＰＢＸへ送信することにより、共通の設定項目についてはＰＢＸとＶＤＳＬ装置とで同時にデータ設定を行うことができるという作用を有する。
【００１８】
請求項２に記載の構内用通信装置は、請求項１に記載の構内用通信装置において、ＰＢＸもしくはＶＤＳＬ装置に接続されＰＢＸもしくはＶＤＳＬ装置の設定を行う設定用機器を備えることとしたものである。
【００１９】
この構成により、設定用機器をＰＢＸ側に備えれば、ＰＢＸ側の設定用機器からＰＢＸおよびＶＤＳＬ装置を設定することができ、設定用機器をＶＤＳＬ装置側に備えれば、ＶＤＳＬ装置側の設定用機器からＶＤＳＬ装置およびＰＢＸを設定することができるので、設定用機器がＰＢＸ側とＶＤＳＬ装置側のいずれの側に備えられても、設定用機器からＰＢＸとＶＤＳＬ装置の両方を設定することができるという作用を有する。
【００２０】
請求項３に記載の構内用通信装置は、請求項１に記載の構内用通信装置において、ＰＢＸもしくはＶＤＳＬ装置に接続されＰＢＸもしくはＶＤＳＬ装置の設定を行う設定用機器を備え、設定用機器は、ＰＢＸおよびＶＤＳＬ装置のいずれの設定も１種類の設定用アプリケーションソフトウェアで行うこととしたものである。
【００２１】
この構成により、設定用機器で動作する同一種類の設定用アプリケーションソフトウェアで、ＰＢＸとＶＤＳＬ装置の両方の設定が可能になるので、従来のようにＰＢＸとＶＤＳＬ装置のそれぞれについて設定用アプリケーションソフトウェアの操作方法を覚える必要がなく、設定するユーザの負担が軽減されるという作用を有する。
【００２２】
請求項４に記載の構内用通信装置は、請求項３に記載の構内用通信装置において、設定用アプリケーションソフトウェアは、設定項目がＰＢＸとＶＤＳＬ装置で共通な設定項目か否かを判定し、設定項目が共通な設定項目であると判定した場合には設定データをＰＢＸおよびＶＤＳＬ装置に送信することとしたものである。
【００２３】
この構成により、設定項目がＰＢＸとＶＤＳＬ装置とで共通な場合、ＰＢＸもしくはＶＤＳＬ装置の一方の設定を行っただけで自動的に他方の設定もおこなわれるので、設定作業が簡略化されるという作用を有する。
【００２４】
以下、本発明の実施の形態について、図１〜図８を参照しながら説明する。
【００２５】
（実施の形態１）
図１は、本発明の実施の形態１による構内用通信装置を示すブロック図である。
【００２６】
図１において、１０１は公衆回線網、１０２はアナログ回線やＩＳＤＮ回線等の外線ケーブル、１０３はＰＢＸ、１０４はアナログ回線やＩＳＤＮ回線等のツイストペアの内線ケーブル、１０５は電話機、１１１はＰＢＸ１０３と後述の設定用機器としての設定用ＰＣ３１０とを接続するＲＳ−２３２Ｃなどの接続ケーブル、１２０はＰＢＸ設定データ用インタフェース部、２０１はインターネット、２０２はインターネット２０１へつながる１０ＢａｓｅＴや１００ＢａｓｅＴ等のＷＡＮケーブル、２０３はＶＤＳＬ装置、２０４はＶＤＳＬモデム、２０５はＰＣ、２２０はＶＤＳＬ設定データ用インタフェース部、３０１はＰＢＸ１０３とＶＤＳＬ装置２０３とを接続するＲＳ−２３２Ｃなどの接続ケーブル、３１０は設定用機器（設定用ＰＣ）である。
【００２７】
図２は、図１の構内用通信装置を構成するＰＢＸ１０３を示すブロック図である。
【００２８】
図２において、外線ケーブル１０２、ＰＢＸ１０３、内線ケーブル１０４、接続ケーブル１１１、ＰＢＸ設定データ用インタフェース部１２０、接続ケーブル３０１は図１と同様のものなので、同一符号を付し、説明は省略する。１２１はＰＢＸ全体の制御をつかさどる中央処理装置（ＣＰＵ）、１２２はプログラムやデータを格納するＲＡＭやＲＯＭから構成されるメモリ、１２３はアナログ回線やＩＳＤＮ回線等の外線との接続および制御を行う外線制御部、１２４は外線と内線の呼の接続／振分けや転送／保留などの付加機能制御を行う交換機能部、１２５はアナログ回線やＩＳＤＮ回線等から成る内線に対する接続や制御を行う内線制御部、１２６は設定用機器３１０に対する接続や制御およびＶＤＳＬ装置２０３に対する接続や制御を行う設定データ入力部、１２７は設定データを出力する為の設定データ出力部である。同図に示すように、設定データ入力部１２６と設定データ出力部１２７とはＰＢＸ設定データ用インタフェース部１２０を構成する。
【００２９】
図３は、図１の構内用通信装置を構成するＶＤＳＬ装置２０３を示すブロック図である。
【００３０】
図３において、内線ケーブル１０４、接続ケーブル１１１、ＷＡＮケーブル２０２、ＶＤＳＬ設定データ用インタフェース部２２０、接続ケーブル３０１は図１と同様のものなので、同一符号を付し、説明は省略する。２２１はＶＤＳＬ装置２０３全体の制御をつかさどるＣＰＵ、２２２はプログラムやデータを格納するＲＡＭやＲＯＭから構成されるメモリ、２２３はＷＡＮケーブル２０２を介するインターネット２０１に対する接続および制御を行うＷＡＮＩ／Ｆ部、２２４は効率良く高速なパケット交換の実現を行うＳｗｉｔｃｈ機能部、２２５はアナログ回線やＩＳＤＮ回線等から成る内線との接続を行う内線Ｉ／Ｆ部、２２６はＶＤＳＬモデム部、２２７は設定用機器３１０に対する接続や制御またはＰＢＸ１０３に対する接続や制御を行う設定データ入力部、２２８は設定データを出力する為の設定データ出力部である。同図に示すように、設定データ入力部２２７と設定データ出力部２２８とはＶＤＳＬ設定データ用インタフェース部２２０を構成する。なお、図３の（３０１）は、接続ケーブル１１１を用いて設定用機器３１０をＶＤＳＬ装置２０３に接続した場合は接続ケーブル（３０１）を介して設定データ出力部２２８とＰＢＸ１０３とが接続されることを示す。ＰＢＸ１０３に設定用機器３１０が接続された場合は、接続ケーブル（３０１）は不要となり、接続ケーブル３０１を介してＰＢＸ１０３と設定データ入力部２２７とが接続される。
【００３１】
このように構成された構内用通信装置におけるＰＢＸ１０３およびＶＤＳＬ装置２０３の設定の動作について説明する。設定用機器３１０は図１のようにＰＢＸ１０３に接続されているものとする。
【００３２】
設定用機器３１０から入力された設定データは接続ケーブル１１１を介してＰＢＸ１０３内の設定データ入力部１２６へ送信される。設定データ入力部１２６において、ＰＢＸ用の設定データかＶＤＳＬ装置用の設定データかの判別が行われる。ＰＢＸ用の設定データであれば、メモリ１２２にその設定データが格納される。ＶＤＳＬ装置用の設定データであれば、設定データ入力部１２６から設定データ出力部１２７に設定データは移され、必要であれば設定データ出力部１２７において設定データをＶＤＳＬ装置用の設定データフォーマットに変換し、また、必要であれば転送速度などのデータ転送の為のパラメータもＶＤＳＬ装置用に変更し、接続ケーブル３０１を介してＶＤＳＬ装置２０３へ送信する。ＶＤＳＬ装置２０３の設定データ入力部２２７において受信した設定データは、メモリ２２２に格納される。
【００３３】
なお、本実施の形態では設定用機器３１０をＰＢＸ１０３に接続した場合について説明したが、設定用機器３１０をＰＢＸ１０３ではなくＶＤＳＬ装置２０３に接続した場合についても同様に実施可能である。この場合、設定用機器３１０は接続ケーブル１１１を介して、ＶＤＳＬ装置２０３内のＶＤＳＬ設定データ用インタフェース部２２０の設定データ入力部２２７に接続される。また、ＶＤＳＬ装置２０３の設定データ出力部２２８とＰＢＸ１０３の設定データ入力部１２６とが接続ケーブル３０１を介して接続されることになる。設定データ入力部２２７および設定データ出力部２２８の動作は、設定用機器３１０をＰＢＸ１０３に接続した場合の動作と同じである。また、本実施の形態におけるＰＢＸ１０３はインターネットにも接続できるＩＰ−ＰＢＸでもよい。
【００３４】
以上のように本実施の形態では、ＰＢＸ１０３は、設定データ入力部１２６と設定データ出力部１２７から成るＰＢＸ設定データ用インタフェース部１２０を有し、ＶＤＳＬ装置２０３は、設定データ入力部２２７と設定データ出力部２２８から成るＶＤＳＬ設定データ用インタフェース部２２０を有し、ＰＢＸ設定データ用インタフェース部１２０とＶＤＳＬ設定データ用インタフェース部２２０とは接続ケーブル３０１を介して相互にデータの送受信が可能であることにより、ＰＢＸ１０３もしくはＶＤＳＬ装置２０３に接続された設定用機器３１０での設定データをＶＤＳＬ装置２０３もしくはＰＢＸ１０３に送信することができるので、設定作業をＰＢＸ側もしくはＶＤＳＬ装置側のみで行うようにすることができ、設定作業を簡略化して設定作業の容易化を図ることができ、また、設定用機器３１０において共通の設定項目か否かを判定できるようにすれば、共通の設定項目と判定したときに設定データをＰＢＸ１０３からＶＤＳＬ装置２０３へ又はＶＤＳＬ装置２０３からＰＢＸ１０３へ送信することにより、共通の設定項目についてはＰＢＸ１０３とＶＤＳＬ装置２０３とで同時にデータ設定を行うことができる。
【００３５】
また、ＰＢＸ１０３もしくはＶＤＳＬ装置２０３に接続されＰＢＸ１０３もしくはＶＤＳＬ装置２０３の設定を行う設定用機器３１０を備えたことにより、設定用機器３１０をＰＢＸ１０３側に備えれば、ＰＢＸ１０３側の設定用機器３１０からＰＢＸ１０３およびＶＤＳＬ装置２０３を設定することができ、設定用機器３１０をＶＤＳＬ装置２０３側に備えれば、ＶＤＳＬ装置２０３側の設定用機器３１０からＶＤＳＬ装置２０３およびＰＢＸ１０３を設定することができるので、設定用機器３１０がＰＢＸ１０３側とＶＤＳＬ装置２０３側のいずれの側に備えられても、設定用機器３１０からＰＢＸ１０３とＶＤＳＬ装置２０３の両方を設定することができる。
【００３６】
（実施の形態２）
本発明の実施の形態２による構内用通信装置の構成は、実施の形態１と同様、図１〜図３に示す構成である。
【００３７】
このように構成された構内用通信装置について、本実施の形態における動作を図４〜図６を用いて説明する。図４〜図６は本発明の実施の形態２における設定用機器３１０の設定入力画面を示す画面図である。
【００３８】
以下、ユーザが設定用機器３１０から設定値を入力して設定が行われるまでの動作について説明する。
【００３９】
図４において、ユーザは、設定対象機器つまりＰＢＸ１０３かＶＤＳＬ装置２０３のいずれを設定するかの選択を行う。ユーザが「ＰＢＸ」を選択した場合は、図５のようなＰＢＸ用のＧＵＩが表示され、その画面上で各種設定を入力していく。入力された設定データは、接続ケーブル１１１、設定データ入力部１２６を介して、ＰＢＸ１０３内のメモリ１２２に格納される。
【００４０】
一方、図４においてユーザが「ＶＤＳＬ」を選択した場合は、「ＶＤＳＬ」を選択した旨の通知が設定データ入力部１２６に送信される。設定データ入力部１２６は、その通知によって、その通知以降に設定データ入力部１２６で受信したデータは設定データ出力部１２７にそのまま送出されるモードに切り替わる。また、設定用機器３１０の設定入力画面は、図６のような画面となり、その画面上で各種設定を入力していく。入力された設定データは接続ケーブル１１１、設定データ入力部１２６、設定データ出力部１２７、接続ケーブル３０１、設定データ入力部２２７を介して、ＶＤＳＬ装置２０３内のメモリ２２２に格納される。
【００４１】
また、図４でユーザが「ＶＤＳＬ」を選択した時点で、設定用機器３１０から送出される設定データのフォーマットがＶＤＳＬ装置２０３用のフォーマットに変更され、ＰＢＸ１０３の設定データ入力部１２６がＶＤＳＬ装置２０３用のフォーマットの設定データを受信したならば、その受信した設定データをそのまま設定データ出力部１２７に送出する様な構成としてもよい。
【００４２】
なお、ここでは、設定データ入力部１２６のモード切り替え／設定データのフォーマットの例として、ＶＤＳＬ装置２０３に設定データが届くように説明したが、その他の方法として、設定データ内にＶＤＳＬ装置データ識別用のフラグデータを挿入するなどのように、要は「ＶＤＳＬ」を選択した場合に、入力された設定データがＰＢＸ１０３を通過してＶＤＳＬ装置２０３に届き、メモリ２２２に格納されるような構成であればよい。また、以上の説明では、図１のように設定用機器３１０をＰＢＸ１０３に接続した場合について説明したが、設定用機器３１０をＰＢＸ１０３ではなくＶＤＳＬ装置２０３に接続した場合についても同様に実施可能である。また、本実施の形態におけるＰＢＸ１０３はインターネットにも接続できるＩＰ−ＰＢＸでもよい。
【００４３】
以上のように本実施の形態では、設定用機器３１０で動作する同一種類の設定用アプリケーションソフトウェアを用いて（ＰＢＸ専用やＶＤＳＬ装置専用の設定用アプリケーションソフトウェアを用いることなく）、ＰＢＸ１０３とＶＤＳＬ装置２０３の両方の設定が可能なため、従来のようにＰＢＸ１０３とＶＤＳＬ装置２０３のそれぞれについての設定用アプリケーションソフトウェアを用いるための操作方法を覚える必要がなく、設定するユーザの負担が軽減される。
【００４４】
（実施の形態３）
本発明の実施の形態３による構内用通信装置の構成は、実施の形態１と同様、図１〜図３に示す構成である。
【００４５】
このように構成された構内用通信装置について、本実施の形態における動作を図４〜図８を用いて説明する。図７、図８は、本発明の実施の形態３における設定用アプリケーションソフトウェアによる動作を示すフローチャートである。
【００４６】
この図７、図８を用いて、ＰＢＸ１０３およびＶＤＳＬ装置２０３を設定する為の設定用機器３１０上の設定用アプリケーションソフトウェアによる動作について説明する。
【００４７】
最初に図７に示す動作を説明する。まず、ユーザが設定用機器３１０上の設定用アプリケーション画面の図４において「Ｂｏｔｈ」を選択したとする。「Ｂｏｔｈ」を選択した後に、図５のような画面で内線番号を設定している場合について説明する。図５において、設定値（ここでは内線番号）を入力し、画面上の「Ａｐｐｌｙ」を押下すると（Ｓ１）、接続ケーブル１１１に対して、ＰＢＸ１０３用の設定データを送信し（Ｓ２）、次に、ＶＤＳＬ装置２０３用の設定データを送信する（Ｓ３）。つまり、図４において「Ｂｏｔｈ」を選択した場合は、ＰＢＸ１０３とＶＤＳＬ装置２０３の両方に対して設定用データを送信できるようにしておくことで、１回の操作で両方の機器（ＰＢＸ１０３とＶＤＳＬ装置２０３）の設定が可能となる。
【００４８】
次に図８に示す動作を説明する。ユーザが設定用機器３１０上の設定用アプリケーション画面の図４において「ＰＢＸ」を選択したとする。次に、図５においてＰＢＸの内線番号の設定入力を行う。設定値（ここでは内線番号）を入力し、画面上の「Ａｐｐｌｙ」を押下すると（Ｓ１１）、接続ケーブル１１１に対して、ＰＢＸ１０３用の設定データを送信する（Ｓ１２）。ここで設定用機器３１０で動作しているアプリケーションソフトウェアは、その設定項目（内線番号）がＰＢＸ１０３とＶＤＳＬ装置２０３で共通の設定項目か否かの判定を行う（Ｓ１３）。共通の設定項目であればＶＤＳＬ装置２０３用の設定データを送信し（Ｓ１４）、そうでなければ再び設定入力操作に戻る。つまり、図４において「ＰＢＸ」を選択した場合でも、ＰＢＸ１０３とＶＤＳＬ装置２０３の両方の共通な設定項目か否かを判定させるステップＳ１３を入れることで、１回の操作でＰＢＸ１０３とＶＤＳＬ装置２０３の両方の機器の設定が可能となる。
【００４９】
なお、本実施の形態では図１のように設定用機器３１０をＰＢＸ１０３に接続した場合について説明したが、設定用機器３１０をＰＢＸ１０３ではなく、ＶＤＳＬ装置２０３に接続した場合についても同様に実施可能である。また、本実施の形態におけるＰＢＸ１０３はインターネットにも接続できるＩＰ−ＰＢＸでもよい。
【００５０】
以上のように本実施の形態では、ＰＢＸ１０３とＶＤＳＬ装置２０３で共通な設定項目は、おのおの個別に設定する必要がなくなり、１回の設定入力で両方の設定が可能である。すなわち、ＰＢＸ１０３とＶＤＳＬ装置２０３のどちらか一方の設定を行えば他方の設定にも反映され、ユーザの入力操作の簡易化を図ることができる。
【００５１】
【発明の効果】
以上説明したように本発明の請求項１に記載の構内用通信装置によれば、構内で音声通信等の為に用いるＰＢＸと、高速インターネット通信の為に用いるＶＤＳＬ装置とから構成される構内用通信装置において、ＰＢＸは、設定データ入力部と設定データ出力部から成るＰＢＸ設定データ用インタフェース部を有し、ＶＤＳＬ装置は、設定データ入力部と設定データ出力部から成るＶＤＳＬ設定データ用インタフェース部を有し、ＰＢＸ設定データ用インタフェース部とＶＤＳＬ設定データ用インタフェース部とは接続ケーブルを介して相互にデータの送受信が可能であることにより、ＰＢＸもしくはＶＤＳＬ装置に接続された設定用機器での設定データをＶＤＳＬ装置もしくはＰＢＸに送信することができるので、設定作業をＰＢＸ側もしくはＶＤＳＬ装置側のみで行うようにすることができ、設定作業を簡略化して設定作業の容易化を図ることができ、また、設定用機器において共通の設定項目か否かを判定できるようにすれば、共通の設定項目と判定したときに設定データをＰＢＸからＶＤＳＬ装置へ又はＶＤＳＬ装置からＰＢＸへ送信することにより、共通の設定項目についてはＰＢＸとＶＤＳＬ装置とで同時にデータ設定を行うことができるという有利な効果が得られる。
【００５２】
請求項２に記載の構内用通信装置によれば、請求項１に記載の構内用通信装置において、ＰＢＸもしくはＶＤＳＬ装置に接続されＰＢＸもしくはＶＤＳＬ装置の設定を行う設定用機器を備えたことにより、設定用機器をＰＢＸ側に備えれば、ＰＢＸ側の設定用機器からＰＢＸおよびＶＤＳＬ装置を設定することができ、設定用機器をＶＤＳＬ装置側に備えれば、ＶＤＳＬ装置側の設定用機器からＶＤＳＬ装置およびＰＢＸを設定することができるので、設定用機器がＰＢＸ側とＶＤＳＬ装置側のいずれの側に備えられても、設定用機器からＰＢＸとＶＤＳＬ装置の両方を設定することができるという有利な効果が得られる。
【００５３】
請求項３に記載の構内用通信装置によれば、請求項１に記載の構内用通信装置において、ＰＢＸもしくはＶＤＳＬ装置に接続されＰＢＸもしくはＶＤＳＬ装置の設定を行う設定用機器を備え、設定用機器は、ＰＢＸおよびＶＤＳＬ装置のいずれの設定も１種類の設定用アプリケーションソフトウェアで行うことにより、設定用機器で動作する同一種類の設定用アプリケーションソフトウェアで、ＰＢＸとＶＤＳＬ装置の両方の設定が可能になるので、従来のようにＰＢＸとＶＤＳＬ装置のそれぞれについて設定用アプリケーションソフトウェアの操作方法を覚える必要がなく、設定するユーザの負担が軽減されるという有利な効果が得られる。
【００５４】
請求項４に記載の構内用通信装置によれば、請求項３に記載の構内用通信装置において、設定用アプリケーションソフトウェアは、設定項目がＰＢＸとＶＤＳＬ装置で共通な設定項目か否かを判定し、設定項目が共通な設定項目であると判定した場合には設定データをＰＢＸおよびＶＤＳＬ装置に送信することにより、設定項目がＰＢＸとＶＤＳＬ装置とで共通な場合、ＰＢＸもしくはＶＤＳＬ装置の一方の設定を行っただけで自動的に他方の設定もおこなわれるので、設定作業が簡略化されるという有利な効果が得られる。
【図面の簡単な説明】
【図１】本発明の実施の形態１による構内用通信装置を示すブロック図
【図２】図１の構内用通信装置を構成するＰＢＸを示すブロック図
【図３】図１の構内用通信装置を構成するＶＤＳＬ装置を示すブロック図
【図４】本発明の実施の形態２における設定用機器の設定入力画面を示す画面図
【図５】本発明の実施の形態２における設定用機器の設定入力画面を示す画面図
【図６】本発明の実施の形態２における設定用機器の設定入力画面を示す画面図
【図７】本発明の実施の形態３における設定用アプリケーションソフトウェアによる動作を示すフローチャート
【図８】本発明の実施の形態３における設定用アプリケーションソフトウェアによる動作を示すフローチャート
【図９】従来のＰＢＸのみを利用した構内用通信装置を示すブロック図
【図１０】ＰＢＸとＶＤＳＬ装置とを接続して組合わせた従来の構内用通信装置を示すブロック図
【図１１】ＶＤＳＬ装置の各種設定を行うための画面を示す画面図
【図１２】ＰＢＸの各種設定を行うための画面を示す画面図
【符号の説明】
１０１  公衆回線網
１０２  外線ケーブル
１０３  ＰＢＸ
１０４  内線ケーブル
１０５  電話機
１１１  接続ケーブル
１２０  ＰＢＸ設定データ用インタフェース部
１２１、２２１  ＣＰＵ（中央処理装置）
１２２、２２２  メモリ
１２３  外線制御部
１２４  交換機能部
１２５  内線制御部
１２６、２２７  設定データ入力部
１２７、２２８  設定データ出力部
２０１  インターネット
２０２  ＷＡＮケーブル
２０３  ＶＤＳＬ装置
２０４  ＶＤＳＬモデム
２０５  ＰＣ
２２０  ＶＤＳＬ設定データ用インタフェース部
２２３  ＷＡＮＩ／Ｆ部
２２４  Ｓｗｉｔｃｈ機能部
２２５  内線Ｉ／Ｆ部
２２６  ＶＤＳＬモデム部
３０１  接続ケーブル
３１０  設定用機器（設定用ＰＣ）
【図１】
2004187064.tif 000003
【図２】
2004187064.tif 000004
【図３】
2004187064.tif 000005
【図４】
2004187064.tif 000006
【図５】
2004187064.tif 000007
【図６】
2004187064.tif 000008
【図７】
2004187064.tif 000009
【図８】
2004187064.tif 000010
【図９】
2004187064.tif 000011
【図１０】
2004187064.tif 000012
【図１１】
2004187064.tif 000013
【図１２】
2004187064.tif 000014